(57)【要約】【課題】側面の側をパネルの係止爪部によって係止されてロックされる構成の開閉蓋構造において、組み立て誤差等の影響を受けないで、蓋が閉じられて状態で、パネルの前側から見て、必ず正立した姿勢となるようにすることを目的とする。【解決手段】回動して開閉する蓋７０は、その裏面のうち、ロックされる箇所の近くに突き出て形成してあるリブ部７５を有する。パネル５１は、凹段部５２のうち、前記ロックされる箇所の近くに溝部５７を有する。蓋７０を閉じた状態で、リブ部７５が溝部５７内に嵌合し、蓋７０は姿勢を補正されて正立した姿勢となり、且つ、凹段部５２の端に接近した状態となる。【選択図】図１
2008085066.tif 000002
【特許請求の範囲】
【請求項１】
表面に対して凹んでいる凹段部を有し、且つ該凹段部の端側に係止爪部を有するパネルと、
側面を有し、一側を前記パネルに回動可能に支持された蓋とを有し、
前記蓋が、回動されて前記パネルの凹段部に収まって閉じられ、前記側面を前記係止爪部により係止されてロックされる構成の開閉蓋構造において、
前記蓋を閉じた状態で、前記係止爪部の近くの箇所で、凹凸嵌合して、閉じた状態におおける前記蓋の側面が前記パネルの前記凹段部の端の壁に対して平行となって且つ接近するように、前記蓋の位置を決める蓋位置決め機構を備えた構成としたことを特徴とする開閉蓋構造。
【請求項２】
請求項１に記載の開閉蓋構造において、
前記蓋位置決め機構は、前記パネルの前記凹段部のうち、前記前記係止爪部の近くの部位に、前記蓋の回動中心軸線と直交する方向に延在して形成してある溝部と、前記蓋の裏面のうち、前記溝部に対応する箇所に形成してあるリブ部とよりなり、前記蓋を閉じた状態で、前記リブ部が前記溝部内に嵌合する構成としたことを特徴とする開閉蓋構造。
【請求項３】
請求項２に記載の開閉蓋構造において、
前記リブ部は、前記蓋の側面とは反対側の面が傾斜面である形状であり、
前記リブ部が前記溝部内に嵌合したときに、前記リブ部の傾斜面が前記溝部の縁と当接して案内されて、前記蓋が前記パネルの前記係止爪部の方向に寄せられて位置決めされる構成としたことを特徴とする開閉蓋構造。
【請求項４】
請求項２に記載の開閉蓋構造において、
前記溝部は、前記凹段部の端の壁を延長した部分が前記溝部の一つの側面を形成するようにして前記凹段部の端に形成してある構成としたことを特徴とする開閉蓋構造。
【請求項５】
請求項２に記載の開閉蓋構造において、
前記蓋は、矩形の板部とこの板部の縁に沿う縁取り部とを有する構成であり、
前記リブ部は、前記縁取り部のうち前記蓋の前記側面に沿う縁取り部の一部が張り出した部分よりなる構成としたことを特徴とする開閉蓋構造。
【請求項６】
請求項１に記載の開閉蓋構造において、
前記蓋位置決め機構は、前記パネルの前記凹段部のうち、前記ロックされる箇所の近くに形成してあるリブ部と、前記蓋の裏面のうち、前記リブ部に対応する箇所に形成してある溝部とよりなり、前記蓋を閉じた状態で、前記溝部が前記リブ部と嵌合する構成としたことを特徴とする開閉蓋構造。
【請求項７】
請求項１乃至請求項６のうち何れか一項に記載の開閉蓋構造を備えた構成としたことを特徴とする電子機器。
【発明の詳細な説明】
【技術分野】
【０００１】
本発明は開閉蓋構造に係り、特に電子機器のパネルに設けられ、回動して開閉する蓋構造に関する。
【背景技術】
【０００２】
図１１乃至図１３は従来の開閉蓋構造を示す。Ｘは電子機器の幅方向、Ｙは奥行き方向、Ｚは高さ方向である。蓋１は、そのＺ２側を電子機器の正面パネル１０にヒンジ結合されており、ヒンジ部２０を中心に回動して開閉可能となっている。図１１は蓋１が開いた状態、図１２は蓋１を閉じた状態を示す。パネル１０は、Ｘ２側の端寄りの箇所に、凹んだ凹段部１１を有し、凹段部１１のＸ１側の壁１２に係止爪部１３を有する。
【０００３】
蓋１は、図１２及び図１３に示すように、パネル１０の凹段部１１に収まって、且つ、Ｘ１端の凹部２を係止爪部１３に係止されてロックされた状態で閉じている。
【０００４】
ここで、ロックがスムーズに行われるためには、ロックされる位置は蓋１のうちヒンジ部２０から遠い位置が望ましい。この関係で、係止爪部１３は、パネル１０のうちＺ１側の端に近い位置に配置してある。
【０００５】
また、蓋１の開閉が円滑に行われるために、ヒンジ部２０には僅かではあるけれども、遊びが存在する。
【特許文献１】特開２００４−３４９５９４号公報
【発明の開示】
【発明が解決しようとする課題】
【０００６】
よって、蓋１は、閉じた状態では、ヒンジ部２０から遠い位置を係止爪部１３の弾性力ＦによってＸ２方向に押されることになり、蓋１がＸ２方向に傾いてしまう。特にヒンジ部２０の嵌合が緩い場合には、蓋１のＸ２方向の傾きは大きくなってしまう。これによって、図１２に示すように、蓋１のＸ１側の壁とパネル１０の凹段部１１に臨む縁、即ち、壁１２との間に隙間３０ができてしまう。しかも、この隙間３０は、Ｚ１側が広く不自然な形状となる。このため、電子機器の見栄えが悪くなり、好ましくない。
【０００７】
ここで、蓋１の天辺３の側に蓋の裏面側に突き出た突起部を形成し、ここにロックのための凹部を形成した場合には、ロック用の係止爪部を凹段部１１のうちＺ１側に設けることになり、閉じた状態における蓋の傾きは起きない。しかし、突起部を蓋１の天辺３側に設けると、カードの挿入操作の邪魔になってしまい、好ましくない。そこで、ロック用凹部は蓋１のＸ１側に配してある。この凹部の配置に関連して、係止爪部１３の位置は凹段部１１の横側となって、この結果、上記したように、係止爪部１３の弾性力が閉じられた蓋１の横側に作用して電子機器の正面から見て蓋１を斜めとするように作用してしまっている。
【０００８】
そこで、本発明は、係止爪部の配置は変えないで、上記課題を解決した開閉蓋構造を提供することを目的とする。
【課題を解決するための手段】
【０００９】
本発明は、表面に対して凹んでいる凹段部（５２）を有し、且つ該凹段部の端側に係止爪部（５６）を有するパネル（５１）と、
側面（７６）を有し、一側を前記パネルに回動可能に支持された蓋（７０）とを有し、
前記蓋が、回動されて前記パネルの凹段部に収まって閉じられ、前記側面を前記係止爪部により係止されてロックされる構成の開閉蓋構造において、
前記蓋を閉じた状態で、前記係止爪部の近くの箇所で、凹凸嵌合して、閉じた状態におおける前記蓋（７０）の側面（７６）が前記パネルの前記凹段部（５２）の端の壁（５５）に対して平行となって且つ接近するように、前記蓋の位置を決める蓋位置決め機構（５７．７５）を備えた構成としたことを特徴とする。
【００１０】
尚、上記参照符号は、あくまでも参考であり、これによって、本願発明が図示の態様に限定されるものではない。
【発明の効果】
【００１１】
本発明によれば、蓋位置決め機構を設けたことによって、蓋の側面の側を係止する係止爪部を備えており、蓋が閉じられた状態において係止爪部の弾性力によって蓋がパネルの正面から見て斜めとなるように傾く傾向があるにも拘わらず、蓋を正立した状態にすること、及び、蓋を凹段部の端側に寄せて隙間を極く狭くすることが可能となる。
【００１２】
よって、蓋、パネル等の部品の精度のばらつき、及び、蓋をパネルへ取り付けるときの組み立て精度のばらつきの影響を受けないで、蓋が閉じた状態で正立するようにすることが出来、特別の調整作業を行うことなく、機器間のばらつきを無くすることが出来る。
【発明を実施するための最良の形態】
【００１３】
次に本発明の実施の形態について説明する。
【実施例１】
【００１４】
図１乃至図３は本発明の実施例１になる開閉蓋構造を示す。Ｘは電子機器の幅方向、Ｙは奥行き方向、Ｚは高さ方向である。図１は、蓋を開いた姿勢で、正面パネルと対向させて示す。図２は蓋が開いた状態を示し、図３及び図４は蓋が閉じた状態を示す。図５は開閉蓋構造が適用してある電子機器の外観を示す。
【００１５】
図５に示すように、電子機器５０は、扁平な箱形状であり、正面に横に長い形状のパネル５１を有する。この正面パネル５１のＸ２端側に、本発明になる開閉蓋構造が設けてある。
【００１６】
［パネル５１の形状］
図１及び図２に示すように、パネル５１は、そのＸ２側の端寄りの箇所に、全高さに亘って表面に対してＹ１方向に凹んでいる凹段部５２を有する。
【００１７】
この凹段部５２には、カードを挿入するためのカード挿入スロット５３と、蓋と関連する軸部５４−１、５４−２、壁５５、係止爪部５６、溝部５７等が形成してある。
【００１８】
軸部５４−１、５４−２は、蓋を支持するためのものであり、Ｚ２側寄りのＸ１側とＸ２側とに配置してある。ＡＸは軸部５４−１、５４−２を通る回動中心軸線である。
【００１９】
壁５５は、凹段部５２のＸ１端の壁であり、Ｙ−Ｚ面である。
【００２０】
係止爪部５６は、蓋を閉じた状態にロックするためのものであり、壁面５５のうち、Ｚ１端の近くに、即ち、軸部５４−１、５４−２（回動中心軸線ＡＸ）からＺ１方向に離れた箇所に配してある。係止爪部５６はＸ方向に弾性変形する。
【００２１】
溝部５７は、壁５５側であって、且つ、係止爪部５６に近い位置であって係止爪部５６よりＺ２側の位置に配してあり、Ｚ方向、即ち、回動中心軸線ＡＸと直交する方向に寸法ａ（約１５ｍｍ）延在しており、本発明の要部をなす（図４参照）。この溝部５７は、図８（Ａ）に拡大して示すように、Ｘ２側の側壁部５７ａと、Ｘ１側の側壁部５７ｂと、底壁部５７ｃとよりなる。側壁部５７ｂは上記壁５５の延長面である。５７ｄは溝部５７の入り口の縁部である。
【００２２】
このように、溝部５７は、その一つの側壁部５７ｂが壁５５の延長面でもって形成されるようにして、凹段部５２のうちＸ１端に配置してあり、蓋７０が開いている状態でも目立たない。
【００２３】
［蓋７０の形状］
同じく図１及び図２に示すように、蓋７０は、前記凹段部５２に丁度収まるサイズであり、矩形の板部７１と、この板部７１の裏面側の縁に沿う縁取り部７２とを有する。板部７１の裏面のうち、閉じた状態でＺ２側となる辺のＸ１側とＸ２側とに、ヒンジ部７３−１，７３−２が突き出て配してある。ＡＸ１はヒンジ部７３−１，７３−２を通る回動中心軸線である。７６は蓋７０のＸ１側の側面であり、回動中心軸線ＡＸ１に対して垂直である面である。側面７６には、回動中心軸線ＡＸ１から遠い部位、即ち、閉じた状態で係止爪部５６に対向する部位に、凹部７４が形成してある。蓋７０のＸ１側には、凹部７４の近くの部位に、リブ部７５が形成してある。
【００２４】
このリブ部７５は、本発明の要部をなし、上記溝部５７に対応する形状を有する。具体的には、リブ部７５は、前記の縁取り部７２のうち側面７６に沿う部分の一部を張り出させて形成されたものであり、蓋７０が閉じた状態でＹ２方向に突き出て且つＺ方向に寸法ｂ(約１０ｍｍ)延在している。寸法ｂは寸法ａより少し短く、ｂ＜ａの関係にある。また、図８（Ａ）に拡大して示すように、リブ部７５は、先端が幅狭となる形状であり、先端に円弧部７５ａを有し、Ｘ２側に、傾斜面７５ｂを有する。
【００２５】
［開閉蓋構造］
この蓋７０は、図２に示すように、ヒンジ部７３−１，７３−２を夫々軸部５４−１、５４−２に嵌合させて、軸部５４−１、５４−２（回動中心軸線ＡＸ）を中心に矢印Ａ、Ｂ方向に約９０度の角度範囲で回動可能に支持されている。ヒンジ部７３−１，７３−２が夫々軸部５４−１、５４−２に嵌合することによって、回動中心軸線ＡＸ１は回動中心軸線ＡＸと一致する。
【００２６】
また、リブ部７５と溝部５７とが蓋位置決め機構を構成する。
【００２７】
図２は蓋７０が開いた状態を示し、蓋７０は水平の状態にある。カード挿入スロット５３は露出している。
【００２８】
電子機器の使用者は、蓋７０を開いた状態で、カードをカード挿入スロット５３に挿入する。
【００２９】
蓋７０はその天辺７０ａ側に蓋７０の裏面側に突き出た突起部を有しないため、カードのカード挿入スロット５３へ挿入する操作は円滑になされる。
【００３０】
カードをカード挿入スロット５３に挿入した後、手の指先で蓋７０をＺ１方向に引き上げて回動させ、且つ、蓋７０をＹ１方向に押し付けて、蓋７０を図３及び図４に示すように閉じる。
【００３１】
蓋７０は閉じられ、図６に示すように、係止爪部５６をＸ１方向に弾性的に撓ませ、凹部７４をＸ１２係止爪部５６に係止されてロックされる。また、図３及び図５に示すように、蓋７０は凹段部５２に丁度収まった状態となり、且つ、蓋７０の表面が正面パネル５１の表面をＸ２方向に延長した面を形成した状態となる。
【００３２】
また、図７及び図４に示すように、リブ部７５が溝部５７に嵌合して、蓋７０の、凹段部５２のＸ１方向端の壁５５に対する位置が決定される。図４では、図示の便宜上、リブ部７５と溝部５７との間に隙間をあけてある。
【００３３】
リブ部７５が溝部５７へ嵌合する動作は、蓋７０が殆ど閉じられた状態から完全に閉じられた状態へと移動する過程において、図８に示すように行われる。
【００３４】
即ち、蓋７０が垂直に近い状態となると、図８（Ａ）に示すように、リブ部７５は溝部５７に接近する。蓋７０が更に閉じられると、図８（Ｂ）に示すように、リブ部７５が溝部５７に嵌合を開始し、蓋７０が完全に閉じられた状態となると、図８（Ｃ）に示すように、リブ部７５が溝部５７にきつく嵌合した状態となる。
【００３５】
リブ部７５が溝部５７にきつく嵌合した状態となったことによって、蓋７０は、係止爪部５６に対応する箇所に近い箇所を固定されてＸ１−Ｘ２方向の位置を規制された状態となる。よって、蓋７０には係止爪部５６による弾性力によってＸ２方向の力Ｆ、即ち、蓋７０を斜めにする力が作用しているけれども、蓋７０は斜めとはならない。
【００３６】
ここで、リブ部７５は、図８（Ａ）に拡大して示すように、先端が幅狭となる形状であり、先端に円弧部７５ａを有し、Ｘ２側に、傾斜面７５ｂを有する形状であるため、たとえ蓋７０の位置が所定の位置よりＸ２方向に若干ずれている場合であっても、図８（Ｂ）に拡大して示すように、リブ部７５の先端円弧部７５ａが溝部５７に入り、傾斜面７５ｂが縁部５７ｄに当たり縁部５７ｄで案内されつつ、リブ部７５が溝部５７に入り込む。よって、リブ部７５が溝部５７に入り込む過程で、リブ部７５はＸ１方向に寄せられる。
【００３７】
これにより、蓋７０は、図４に示すように、側面７６が壁５５に対して平行となり且つ側面７６が壁５５に極めて接近して、パネル５１の前側から見て、正立した姿勢となり、側面７６が壁５５との間の隙間８０は最小となり、しかも、この隙間８０は、Ｚ１側が広くなる不自然な形状とはならない。このため、電子機器の見栄えは従来に比較して格段に良くなる。
【００３８】
なお、使用者が手の指先で閉じた状態の蓋７０のＺ１側の端をＸ１方向に引く操作をすることによって、凹部７４が係止爪部５６から抜け出してロックが解除されて、蓋７０は開けられる。
【００３９】
ここで、図５に示す電子機器５０を量産した場合には、蓋７０、パネル５１の部品の精度のばらつき、及び、蓋７０をパネル５１へ取り付けるときの組み立て精度のばらつきの影響を受けないで、蓋７０が閉じた状態で正立して且つ隙間８０が最小となるようにすることが出来、特別の調整作業を行うことなく、電子機器５０間のばらつきを無くすることが出来、電子機器５０の生産性は良い。
【００４０】
［変形例］
本発明は、図９に示すように、パネル５１Ａ側にリブ部９０を形成し、蓋７０Ａ側に溝部９１を形成し、蓋７０Ａを閉じたときに、溝部９１がリブ部９０と嵌合して、蓋７０Ａの位置が決められるようにすることも出来る。
【００４１】
また、本発明は、図１０（Ａ），（Ｂ）に示すように、凹段部５２Ｂがパネル５１Ｂの途中の部分に形成してあり、壁が凹段部５２Ｂの両側に存在しており、蓋７０Ｂがこの凹段部に丁度収まるようにして回動して閉じる構成である場合でも、適用可能である。この場合には、蓋７０Ａは、閉じた状態で蓋７０Ｂのリブ部が凹段部５２Ｂの溝部に嵌合して位置決めされ、蓋７０Ｂの左側の隙間８０Ｂ１と蓋の右側の隙間８０Ｂ２とが均等となる。
【００４２】
以上、本発明の好ましい実施の形態について詳述したが、本発明はかかる特定の実施の形態に限定されるものではなく、特許請求の範囲内に記載された本発明の要旨の範囲内において、種々の変形・変更が可能である。
【図面の簡単な説明】
【００４３】
【図１】本発明の実施例１になる開閉蓋構造を分解して示す斜視図である。
【図２】蓋が開いている状態を示す斜視図である。
【図３】蓋を閉じた状態を示す斜視図である。
【図４】蓋を閉じた状態を示す正面図である。
【図５】本発明の開閉蓋構造が適用してある電子機器の斜視図である。
【図６】図３中、VI-VI線に沿うロック構造部の断面図である。
【図７】図３中、VII-VII線に沿う蓋位置決め機構の断面図である。
【図８】リブ部が溝部に嵌合する状態を示す図である。
【図９】蓋位置決め機構の別の実施例を示す図である。
【図１０】本発明の別の実施例になる開閉蓋構造を示す斜視図である。
【図１１】従来の開閉蓋構造の蓋が開いている状態を示す斜視図である。
【図１２】蓋が閉じている状態を示す斜視図である。
【図１３】図１２中、XIII-XIII線に沿う断面図である。
【符号の説明】
【００４４】
５０  電子機器
５１  パネル
５２  凹段部
５３  カード挿入スロット
５４−１、５４−２  軸部
５５  壁
５６  係止爪部
５７、９１  溝部
７０  蓋
７１  板部
７２  縁取り部
７３−１，７３−２  ヒンジ部
７４  凹部
７５、９０  リブ部
７５ａ  円弧部
７５ｂ  傾斜面
７６  側面
【図１】
2008085066.tif 000003
【図２】
2008085066.tif 000004
【図３】
2008085066.tif 000005
【図４】
2008085066.tif 000006
【図５】
2008085066.tif 000007
【図６】
2008085066.tif 000008
【図７】
2008085066.tif 000009
【図８】
2008085066.tif 000010
【図９】
2008085066.tif 000011
【図１０】
2008085066.tif 000012
【図１１】
2008085066.tif 000013
【図１２】
2008085066.tif 000014
【図１３】
2008085066.tif 000015